(57)【要約】【課題】  本発明の課題は、施設の入場許可を安価で、簡便に、管理できるシステムを提供することである。【解決手段】  入場扉開閉装置に、有効期間情報と利用者識別情報とを含む管理情報を返信する管理用記録媒体と、管理用記録媒体から、管理情報を受信して、この管理情報の使用期限を判定して、この管理情報の利用者識別情報を、利用者用記録媒体に、送信して、利用者用記録媒体から、利用者識別情報を受信して、受信した管理情報の利用者識別情報を参照して、利用者認証して、扉を開扉する入場扉開閉装置と、入場扉開閉装置から、利用者識別情報を受信、記録して、入場扉開閉装置に、前記記録された利用者識別情報を返信する記録媒体と、から構成されることを特徴とする入場許可管理システムである。【選択図】  図１
2008101454.tif 000002
【特許請求の範囲】
【請求項１】
接触型、または、非接触型管理用記録媒体と、利用者用記録媒体と、入場扉開閉装置と、
から構成される入場許可管理システムであって、
前記管理用記録媒体は、
有効期間情報と利用者識別情報とを含む管理情報を記憶する記憶手段と、
入場扉開閉装置から、管理情報送信要求を受け付けて、前記管理情報を返信する管理情報返信手段と、
を備える記録媒体であって、
前記入場扉開閉装置は、
管理情報送信要求を、管理用記録媒体に、送信する管理情報送信要求手段と、
管理用記録媒体から、管理情報を受信する管理情報受信手段と、
前記受信された管理情報の有効期間情報を参照して、使用期限内であることを判定する管理情報有効期間判定手段と、
利用者識別情報送信要求を、利用者用記録媒体に、送信する利用者識別情報送信要求手段と、
利用者用記録媒体から、利用者識別情報を受信する利用者識別情報受信手段と、
前記受信された利用者識別情報を用いて、前記受信された管理情報の利用者識別情報を参照して、一致すれば、利用者認証をする利用者認証手段と、
扉を開扉する開扉手段と、
を備える入場扉開閉装置であって、
前記利用者用記録媒体は、
入場扉開閉装置から、利用者識別情報送信要求を受け付けて、前記記録された利用者識別情報を返信する利用者識別情報返信手段と、
を備える記録媒体である、
ことを特徴とする入場許可管理システム。
【請求項２】
有効期間情報と利用者識別情報とを含む管理情報を用いる入場許可管理方法であって、
入場扉開閉装置が、管理情報送信要求を管理用記録媒体に送信して、管理情報を受信する管理情報受信ステップと、
前記受信された管理情報の有効期間情報を参照して、使用期限内であることを確認する管理情報有効期間判定ステップと、
利用者識別情報送信要求を利用者用記録媒体に送信して、利用者識別情報を受信する利用者識別情報受信ステップと、
前記受信された利用者識別情報を用いて、前記受信された管理情報の利用者識別情報を参照して、一致すれば、利用者認証をする利用者認証ステップと、
扉を開扉する開扉ステップと、
を含んだ手順でなされることを特徴とする入場許可管理方法。
【請求項３】
コンピュータに組込むことによって、コンピュータを請求項１に記載の入場許可管理システムとして動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、利用期間や利用人数を限定した貸し出す施設（たとえば、貸し別荘、貸しスタジオ）の入場許可を管理するシステム、および、その方法に関するものである。
【背景技術】
【０００２】
従来から、別荘やスタジオなどの施設を貸し出す場合には、利用期間は、扉の鍵を、利用者に貸与して、サービスを提供している。
【０００３】
たとえば、特許文献１では、ビルの会議室に設置した端末装置と施設管理ホスト装置とを、ネットワーク接続させて、端末装置から所定の情報を入力させることで、会議室の利用者認証と、利用状況の把握を行い、不正な利用を防止する技術が開示されている。（従来技術１）
【特許文献１】特開２００２−１２３５８８号公報（３、６ページ、図１、４）
【発明の開示】
【発明が解決しようとする課題】
【０００４】
ところで、従来技術１では、各会議室に端末装置を設置して、ネットワーク接続した施設管理ホスト装置が、情報を一元管理するために、点在する場所に、ネットワーク網の施工や維持に、多大な作業と費用を要するという欠点があった。
【０００５】
本発明はこのような従来技術を考慮してなされたものであって、本発明の課題は、施設の入場許可を安価で、簡便に、管理できるシステムを提供することである。
【課題を解決するための手段】
【０００６】
本発明は、以下のような解決手段により、前記課題を解決する。すなわち、請求項１の発明は、接触型、または、非接触型管理用記録媒体と、利用者用記録媒体と、入場扉開閉装置と、から構成される入場許可管理システムであって、前記管理用記録媒体は、有効期間情報と利用者識別情報とを含む管理情報を記憶する記憶手段と、入場扉開閉装置から、管理情報送信要求を受け付けて、前記管理情報を返信する管理情報返信手段と、を備える記録媒体であって、前記入場扉開閉装置は、管理情報送信要求を、管理用記録媒体に、送信する管理情報送信要求手段と、管理用記録媒体から、管理情報を受信する管理情報受信手段と、前記受信された管理情報の有効期間情報を参照して、使用期限内であることを判定する管理情報有効期間判定手段と、利用者識別情報送信要求を、利用者用記録媒体に、送信する利用者識別情報送信要求手段と、利用者用記録媒体から、利用者識別情報を受信する利用者識別情報受信手段と、前記受信された利用者識別情報を用いて、最新に受信された管理情報の利用者識別情報を参照して、一致すれば、利用者認証をする利用者認証手段と、扉を開扉する開扉手段と、を備える入場扉開閉装置であって、前記受信された利用者識別情報を記録する利用者識別情報記録手段と、入場扉開閉装置から、利用者識別情報送信要求を受け付けて、前記記録された利用者識別情報を返信する利用者識別情報返信手段と、を備える記録媒体である、ことを特徴とする入場許可管理システムである。
【０００７】
ここで、管理用記録媒体は、たとえば、ＩＣカードである。利用者用記録媒体は、たとえば、磁気カードである。
【０００８】
入場扉開閉装置は、管理用記録媒体の管理情報を用いて、利用者用記録媒体に利用者識別情報を送信することで、使用可能な利用者用記録媒体を作成する。利用者用記録媒体は、管理用記録媒体の管理情報を参照することで、利用者認証を受けて、入場扉を開扉させることが可能となる。
【０００９】
請求項２の発明は、有効期間情報と利用者識別情報とを含む管理情報を用いる入場許可管理方法であって、入場扉開閉装置が、管理情報送信要求を管理用記録媒体に送信して、管理情報を受信する管理情報受信ステップと、前記受信された管理情報の有効期間情報を参照して、使用期限内であることを確認する管理情報有効期間判定ステップと、利用者識別情報送信要求を利用者用記録媒体に送信して、利用者識別情報を受信する利用者識別情報受信ステップと、前記受信された利用者識別情報を用いて、前記受信された管理情報の利用者識別情報を参照して、一致すれば、利用者認証をする利用者認証ステップと、扉を開扉する開扉ステップと、を含んだ手順でなされることを特徴とする入場許可管理方法である。
【００１０】
請求項３の発明は、コンピュータに組込むことによって、コンピュータを請求項１に記載の入場許可管理システムとして動作させるコンピュータプログラムである。
【００１１】
請求項４の発明は、請求項３に記載のコンピュータプログラムを記録したコンピュータ読取り可能な記録媒体である。
【発明の効果】
【００１２】
本願発明によれば、施設に設置された端末装置（＝入場扉開閉装置）は、施設管理ホスト装置に接続することなく、利用者用記録媒体を認証することが可能である。
【発明を実施するための最良の形態】
【００１３】
（実施例）
以下、図面等を参照しながら、本発明の実施の形態について、更に詳しく説明する。
【００１４】
図１は、入場許可管理システム１の概要を説明する図である。入場許可管理システム１は、接触型の、または、非接触型の管理用記録媒体１００と、利用者用記録媒体３００と、入場扉開閉装置５００と、から構成される。
【００１５】
管理用記録媒体１００は、たとえば、ＩＣカードである。利用者用記録媒体３００は、たとえば、磁気カードである。管理用記録媒体１００は、管理情報１９１を記憶する。利用者用記録媒体３００は、利用者識別情報３９１を記憶する。入場扉（開閉）装置５００は、管理用記録媒体読取装置（たとえば、ＩＣカード読取装置）と、利用者用記録媒体読書装置（たとえば、磁気カード読書装置）と、を備える。
【００１６】
なお、管理情報１９１は、利用者用記録媒体の発行数情報と有効期間情報と利用者識別情報３９１とを含む情報である。
【００１７】
入場扉開閉装置５００は、期間限定利用設備の扉の電子錠を開閉する。
【００１８】
図２は、入場許可管理システム１の処理の流れを説明する図である。
【００１９】
管理用記録媒体１００を管理用記録媒体読取装置にセットした状態で、入場許可管理システム１を起動すると、入場扉開閉装置５００は、管理情報送信要求を、管理用記録媒体１００に送信する（図２（１））。管理用記録媒体１００は、入場扉開閉装置５００から、管理情報送信要求を受け付けて、管理情報１９１を返信する（同（２））。入場扉開閉装置５００は、管理用記録媒体１００から、管理情報１９１を受信する（同（３））。
【００２０】
入場扉開閉装置５００は、前記受信された管理情報１９１の有効期間情報を参照し、使用期限内であることを確認して、管理情報１９１の利用者識別情報３９１を、利用者用記録媒体読書装置にセットされた利用者用記録媒体３００に送信する（同（４））。利用者用記録媒体３００は、入場扉開閉装置５００から、利用者識別情報３９１を受信して、記録する（同（５））。このとき、発行数情報の個数の利用者用記録媒体３００を発行する。これにより、利用者用記録媒体３００が合鍵のような役割を果たすことが可能な状態となる。この利用者用記録媒体３００を合鍵として利用するためには、管理用記録媒体１００を常に管理用記録媒体読取装置にセットしておく。
【００２１】
利用者用記録媒体３００を発行した後、管理用記録媒体１００を管理用記録媒体読取装置にセットした状態で、入場許可管理システム１を起動すると、入場扉開閉装置５００は、管理情報送信要求を、管理用記録媒体１００に送信する（同（６））。管理用記録媒体１００は、入場扉開閉装置５００から、管理情報送信要求を受け付けて、管理情報１９１を返信する（同（７））。入場扉開閉装置５００は、管理用記録媒体１００から管理情報１９１を受信する（同（８））。
【００２２】
入場扉開閉装置５００は、最新に受信された管理情報１９１の有効期間情報を参照して、使用期限内であることを確認して、利用者識別情報送信要求を、利用者用記録媒体３００に送信する（同（９））。利用者用記録媒体３００は、入場扉開閉装置５００から、利用者識別情報送信要求を受け付けて、前記記録された利用者識別情報３９１を返信する（同（１０））。入場扉開閉装置５００は、利用者用記録媒体から３００、利用者識別情報３９１を受信する（同（１１））。
【００２３】
入場扉開閉装置５００は、前記受信された利用者識別情報３９１を用いて、前記受信された管理情報１９１の利用者識別情報３９１を参照して、一致すれば、利用者認証をする（同（１２））。利用者認証が正しく行われた場合には、入場扉開閉装置５００は、扉を開扉する（同（１３））。
【００２４】
このように、施設に設置された入場扉開閉装置は、施設管理ホスト装置に接続することなく、管理用記録媒体１００のみを参照することにより、利用者用記録媒体を認証することが可能であるという利点がある。
【００２５】
図３は、入場許可管理システム１の詳細な構成図である。入場許可管理システム１は、接触型の、または、非接触型の管理用記録媒体１００と、利用者用記録媒体３００と、入場扉開閉装置５００と、から構成される。
【００２６】
管理用記録媒体１００は、管理情報返信手段１１５と、記憶手段１９０と、を備える。記憶手段１９０は、管理情報１９１を記憶する。
【００２７】
管理情報１９１は、利用者用記録媒体の発行数情報と有効期間情報と利用者識別情報３９１とを含む情報である。
【００２８】
管理情報返信手段１１５は、入場扉開閉装置５００から、管理情報送信要求を受け付けて、前記管理情報１９１を返信する。
【００２９】
入場扉開閉装置５００は、管理情報送信要求手段５１５と、管理情報受信手段５１７と、管理情報有効期間判定手段５２０と、利用者識別情報発行手段５３５と、利用者識別情報送信要求手段５４５と、利用者識別情報受信手段５４７と、利用者認証手段５５０と、開扉手段５６０と、を備える。
【００３０】
管理情報送信要求手段５１５は、管理情報送信要求を、管理用記録媒体１００に送信する。管理情報受信手段５１７は、管理用記録媒体１００から、管理情報１９１を受信する。
【００３１】
管理情報有効期間判定手段５２０は、前記受信された管理情報１９１の有効期間情報を参照して、使用期限内であることを判定する。
【００３２】
利用者識別情報発行手段５３５は、前記受信された管理情報１９１の利用者識別情報を、利用者用記録媒体３００に送信する。
【００３３】
利用者識別情報送信要求手段５４５は、利用者識別情報送信要求を、利用者用記録媒体３００に送信する。利用者識別情報受信手段５４７は、利用者用記録媒体３００から、利用者識別情報を受信する。
【００３４】
利用者認証手段５５０は、前記受信された利用者識別情報を用いて、前記受信された管理情報１９１の利用者識別情報を参照して、一致すれば、利用者認証をする。
【００３５】
開扉手段５６０は、扉を開扉する。
【００３６】
利用者用記録媒体３００は、利用者識別情報受信手段３３５と、利用者識別情報記録手段３１０と、利用者識別情報返信手段３４５と、記憶手段３９０を備える。記憶手段３９０は、利用者識別情報３９１を記憶する。
【００３７】
利用者識別情報受信手段３３５は、入場扉開閉装置から、利用者識別情報を受信する。利用者識別情報記録手段３１０は、前記受信された利用者識別情報を記録する。
【００３８】
利用者識別情報返信手段３４５は、入場扉開閉装置５００から、利用者識別情報送信要求を受け付けて、前記記録された利用者識別情報３９１を返信する。
【００３９】
管理情報返信手段１１５と、利用者識別情報受信手段３３５と、利用者識別情報記録手段３１０と、利用者識別情報返信手段３４５と、管理情報送信要求手段５１５と、管理情報受信手段５１７と、管理情報有効期間判定手段５２０と、利用者識別情報発行手段５３５と、利用者識別情報送信要求手段５４５と、利用者識別情報受信手段５４７と、利用者認証手段５５０と、開扉手段５６０は、コンピュータプログラムにより実現される。
【００４０】
管理情報１９１と、利用者識別情報３９１は、コンピュータプログラムが可読なデータである。記憶手段１９０と、記憶手段３９０は、メモリである。
【００４１】
図４は、管理情報１９１の形式と例である。管理情報１９１の項目は、有効期間情報１９１ａと、発行数情報１９１ｂと、利用者識別情報１９１ｃから構成される。利用者識別情報１９１ｃは、利用者識別情報３９１と同じものである。
【００４２】
有効期間情報１９１ａは、日時データである。発行数情報１９１ｂは、発行枚数を表す数値データである。利用者識別情報１９１ｃは、ユニークな文字列である。
【００４３】
図４には、管理情報１９１が例示されている。有効期間情報１９１ａが、「2006/08/05」で、発行数情報１９１ｂが、「3」で、利用者識別情報１９１ｃが、「id568768」である管理情報１９１が例示されている。
【００４４】
なお、発行数情報191ｂ「３」の場合に、３個の利用者識別情報１９１ｃ「Id568768-1」、「id568768-2」、「Id568768-3」を用いて、それぞれの利用者用記録媒体に、これを送信してもよい。このとき、発行数情報191ｂは、省略してもよい。
【００４５】
以上詳しく説明したように、本願発明によれば、施設に設置された端末装置（＝入場扉開閉装置）は、施設管理ホスト装置に接続することなく、利用者用記録媒体を認証することが可能となった。
【図面の簡単な説明】
【００４６】
【図１】入場許可管理システム１の全体構成図である。
【図２】入場許可管理システム１の処理の流れを説明する図である。
【図３】入場許可管理システム１の詳細な構成図である。
【図４】管理情報１９１の形式と例を説明する図である。
【符号の説明】
【００４７】
１  入場許可管理システム
１００  管理用記録媒体
１１５  管理情報返信手段
１９０  記憶手段
１９１  管理情報
３００  利用者用記録媒体
３３５  利用者識別情報受信手段
３１０  利用者識別情報記録手段
３４５  利用者識別情報返信手段
３９０  記憶手段
３９１  利用者識別情報
５００  入場扉開閉装置
５１５  管理情報送信要求手段
５１７  管理情報受信手段
５２０  管理情報有効期間判定手段
５３５  利用者識別情報発行手段
５４５  利用者識別情報送信要求手段
５４７  利用者識別情報受信手段
５５０  利用者認証手段
５６０  開扉手段
【図１】
2008101454.tif 000003
【図２】
2008101454.tif 000004
【図３】
2008101454.tif 000005
【図４】
2008101454.tif 000006